(57)【特許請求の範囲】
【請求項１】
第１の用紙の下面と第２の用紙の上面が疑似接着されていること，
当該第２の用紙の下面を、中心部から内側に折って、左側面部と右側面部とを再接着可能に貼着するために、第２の用紙の下面の左側面部及び右側面部に粘着剤及び剥離剤が塗布されるが、当該左側面部と右側面部の粘着剤が塗布されている部分と剥離剤が塗布されている部分とが交互に配列され、かつ粘着剤が塗布されている部分と剥離剤が塗布されている部分とが左側面部と右側面部とでは互いに齟齬した位置に配列されていること，
第１の用紙は各ラベル片に区画されており、その上面は印刷され、印字される面であること，
第２の用紙も複数の単位に区画されており，当該区画は第１の用紙の区画より小さく、第１の用紙の各区画内に第２の用紙の各区画が収まっていること、
からなることを特徴とする用紙。
【請求項２】
前記第１の用紙と疑似接着している前記第２の用紙とを中心から内側に折って第２の用紙の裏面の左側面部と右側面部が再接着可能に貼着した場合において、第２の用紙の区画と重なっている第１の用紙の中央に近い部分に切り取り線が入っていることを特徴とする請求項１記載の用紙。
【請求項３】
前記用紙が配送伝票であることを特徴とする請求項１記載の用紙。
【発明の詳細な説明】
【技術分野】
【０００１】
本発明は、第１の用紙と第２の用紙を貼着する用紙であって、第２の用紙の下面が区画されている用紙に関する。
【背景技術】
【０００２】
従来、配送伝票は台紙である剥離紙等の上に貼着された、周囲がカットされ、型抜きされたラベル片（配送票等）を剥がして使用するものがある。そのラベル片には届け先、依頼主等が印刷され、バーコード等が印字されたりしている（例えば、特許文献１参照。）。
【０００３】
しかし、このような剥がして使用するラベル片の場合は台紙を剥がして物品等に貼り付けるので台紙の部分を捨てることになり、それらはゴミとして別途捨てる必要があった。一方、配送伝票を配達した配達人が持ち帰ることが出来るようにするためには、ラベル片は多層とし簡単に荷物から剥がせる必要があった。
【０００４】
また、台紙の上にラベル片が貼着されている所謂アイランド構造のラベル連続体においては、台紙とラベル部分の凹凸により、宛先等の印字の際ラベルがプリンタに引っかかり、用紙の剥がれ等がおこり、さらにその凹凸が印字ヘッドの摩耗を早めるという問題があった。
【０００５】
さらに、前述のような多層のラベル連続体では、ラベル間にミシン目等の切取線が入っているが、生産過程で生じる当該切取線部分の凹凸が、プリンタの印字ローラーなどに影響を与え、印字に白抜き・印字ムラが生じるという問題があった。
【０００６】
【特許文献１】特開２００５−１１５２２４（［０００５］、［０００６］）
【発明の開示】
【発明が解決しようとする課題】
【０００７】
そこで、本発明は台紙を捨てることなく、かつ物品に貼着しても容易に剥がすことの出来る配送伝票等の用紙を提供し、かつ印字の際に白抜き・印字ムラ・ラベル片の剥がれ・さらに印字ヘッドの摩耗を早めることのない用紙を提供することを目的とする。
【課題を解決するための手段】
【０００８】
前記目的を達成するため、本発明の用紙は、
第１の用紙の下面と第２の用紙の上面が疑似接着されていること，
当該第２の用紙の下面を、中心部から内側に折って、左側面部と右側面部とを再接着可能に貼着するために、第２の用紙の下面の左側面部及び右側面部に粘着剤及び剥離剤が塗布されるが、当該左側面部と右側面部の粘着剤が塗布されている部分と剥離剤が塗布されている部分とが交互に配列され、かつ粘着剤が塗布されている部分と剥離剤が塗布されている部分とが左側面部と右側面部とでは互いに齟齬した位置に配列されていること，
第１の用紙は各ラベル片に区画されており、その上面は印刷され、印字される面であること，
第２の用紙も複数の単位に区画されており，当該区画は第１の用紙の区画より小さく、第１の用紙の各区画内に第２の用紙の各区画が収まっていること、
からなる。
【０００９】
又、前記第１の用紙と疑似接着している前記第２の用紙とを中心から内側に折って第２の用紙の裏面の左側面部と右側面部が再接着可能に貼着した場合において、第２の用紙の区画と重なっている第１の用紙の中央に近い部分に切り取り線が入っていることが好適である。
【００１０】
さらに、前記用紙が配送伝票であることが好適である。
【発明の効果】
【００１１】
そこで、本発明は台紙を捨てることなく、かつ物品に貼着しても容易に剥がすことの出来る配送伝票等の用紙を提供し、かつ印字の際に白抜き・印字ムラ・ラベル片の剥がれ・さらには印字ヘッドの摩耗を早めることのない用紙を提供することを目的とする。
【発明を実施するための最良の形態】
【００１２】
本発明の実施の形態の一例を図面にしたがって説明する。
【００１３】
図１は第１の用紙と第２の用紙を貼着しようとする状態を示す図である。
第２の用紙２の上面には剥がすことは出来るが再接着できない、たとえば水性系の接着剤３が塗布されている。本図面では第２の用紙２の上面に当該接着剤３が塗布されているが第１の用紙の下面に当該接着剤が塗布されても良い。第１の用紙１は印字可能な用紙，たとえば感熱紙で、第２の用紙２は普通紙であることが望ましいが、第１の用紙１の上面にはラベル片に区画された配送票、荷札等の必要な事項が印刷されている。
【００１４】
図２は図１を裏返した状態を示す図である。
第２の用紙２の下面には粘着剤４とシリコーン等の剥離剤５とが交互に塗布されている。
【００１５】
図３は第２の用紙がアイランド構造になっている状態を示す図である。
第１の用紙１と第２の用紙２が剥離可能に接着され第２の用紙２がダイカット（切り込みを入れること）され、カストリ（不要部分をとること）され、アイランド構造の単位区画２ａ、２ｂ、２ｃ、２ｄになっている。
第２の用紙２のアイランド構造の単位区画２ａ、２ｂ、２ｃ、２ｄは第１の用紙１の配送票１ａ、１ｃ及び荷札１ｂ、１ｄの大きさよりも小さい構造である。
【００１６】
又、左側面部の単位区画２ａ、２ｃと右側面部の単位区画２ｂ、２ｄの粘着剤が塗布されている部分４と剥離剤が塗布されている部分５とが交互に配列され、かつ粘着剤が塗布されている部分４と剥離剤が塗布されている部分５とが左側面部の単位区画２ａ、２ｃと右側面部の単位区画２ｂ、２ｄとでは互いに齟齬した位置に配列されている。
したがって図４，５に示すように中心より内側に折って貼着した場合でも剥離することが出来るものである。
【００１７】
図４は本発明の用紙を中心より折って貼着しようとする状態を示す図である。
図５は本発明の用紙が中心より折られて貼着した状態を示す図である。
図４及び図５において左側面部の単位区画２ａ、２ｃと右側面部の単位区画２ｂ、２ｄが貼着するが、粘着剤と剥離剤が交互に、かつ齟齬した位置に配列されているので、貼着した後も剥がすのが容易であり、剥がした後も再度接着することが出来る。
【００１８】
図５において、上段に印刷されている配送票１ａ、荷札１ｂと下段に印刷されている配送票１ｃ、荷札１ｄの間にミシン目６が入っている。単位区画２ａ、２ｂ、２ｃ、２ｄがアイランド構造になっているのでミシン目６を入れる場合でも４枚の厚さに入れるのでなく２枚の厚さにミシン目６を入れることになるので、ミシン目６の周囲に生じる凹凸が非常に小さくなる。このミシン目は印刷機から出てくる場合折り目の役割もするものである。
【００１９】
配送票は配達する者が配達したことを証明するために持って帰るのが通例である。そこで第１の用紙１の配送票１ａ、１ｃと荷札１ｂ、１ｄとの間で、中央に近い部分で、配送票１ａ、１ｃの側で（荷札１ｂ、１ｄの側でも良い。）、アイランド構造の単位区画２ａ、２ｂ及び２ｃ、２ｄに重なっている部分に切り込み、ミシン目等の切り取り線７が入っている。アイランド構造の単位区画２ａ、２ｂ、２ｃ、２ｄには粘着剤が塗布されているので切り取り線を入れても剥がれることがない。  
【００２０】
配送票１ａ、１ｃ及び荷札１ｂ、１ｄの届け先、依頼主の欄に住所、氏名又は名称等の可変情報を印字する。又、配送票１ａ、１ｃ、荷札１ｂ、１ｄのその他の場所にバーコード等を印字する。印字は感熱型で発色するサーマルプリンタを使用し、上、下両面から印字する。
【００２１】
本発明は、配送票１ａ、１ｃ、荷札１ｂ、１ｄ等の印刷した部分の周囲がカットされ、型抜きされていないので、上段の配送票１ａ、荷札１ｂと下段の配送票１ｃ、荷札１ｄの間に段差がなく、したがって、前記サーマルプリンタで配送票１ａ、荷札１ｂに住所、名称等を印字し、次の配送票１ｃ、荷札１ｄに同様に印字するために配送伝票がローラで送られる場合、用紙がめくれず、紙づまりも生じない。
段差がある場合、印字ヘッドが微妙に段差部分にぶつかって当該印字ヘッドの摩耗を早くすることになるが、本発明の場合は段差がないためこのような状態は生じない。
【００２２】
又、段差がある場合、ローラに振動が生じ、その振動が印字ヘッドに伝わり、印字ヘッドにも振動を起こさせることになり、それにより印字ムラ及び印字濃度のバラツキを生じることになるが、本発明は段差がないためこのような事態も生じない。
【００２３】
このように、本発明は、配送票１ａ、１ｃ、荷札１ｂ、１ｄ等の印刷された部分及び印字する部分をアイランド構造にするのではなく、接着する側をアイランド構造２ａ、２ｂ、２ｃ、２ｄにしたので配送票１ａ、１ｃ、荷札１ｂ、１ｄ等の印字する部分（面）に段差が生じないものである。
【００２４】
図６は図５の貼着された用紙をミシン目より切り取り、剥がした状態を示す図である。
開いた状態で物品に貼着し、配達人は受取人が当該物品を受取った後、配送票１ａ、１ｃを剥がして持って帰れば良い。第１の用紙１と第２の用紙２は水性系の接着剤で疑似接着しているだけなので、配送票１ａ、１ｃは容易に剥がすことが出来るが、台紙は物品に貼着しているので捨てることがなく、したがってゴミが出ることがない。同様に荷札１ｂ、１ｄも個人情報保護のために剥がしておいて秘匿しておくことも出来るものである。
【図面の簡単な説明】
【００２５】
【図１】第１の用紙と第２の用紙を貼着しようとする状態を示す図である。
【図２】図１を裏返した状態を示す図である。
【図３】第２の用紙の下面に塗布された粘着剤と剥離剤がアイランド状態になっている状態を示す図である。
【図４】本発明の用紙を中心より折って貼着しようとする状態を示す図である。
【図５】本発明の用紙が中心より折られて貼着した状態を示す図である。
【図６】図５の貼着された用紙をミシン目より切り取り、剥がした状態を示す図である。
【符号の説明】
【００２６】
１  第１の用紙
１ａ、１ｃ  配送票
１ｂ、１ｄ  荷札
２  第２の用紙
２ａ、２ｂ、２ｃ、２ｄ  アイランド構造の単位区画
３  水性系の接着剤
４  粘着剤
５  剥離剤
６  ミシン目
７  切り取り線
【図１】
0004683389.tif 000002
【図２】
0004683389.tif 000003
【図３】
0004683389.tif 000004
【図４】
0004683389.tif 000005
【図５】
0004683389.tif 000006
【図６】
0004683389.tif 000007